(57)【要約】【課題】  撮影光学系ユニットの小型化およびコストの低減化が図られた撮影装置を提供する。【解決手段】  撮影光学系１に備えられた、入射してきた被写体光の光路上に配備された液晶偏向素子３に、手ぶれ検出部１０で検出されたぶれの検出結果に応じた電圧を手ぶれ補正制御部９で印加し、印加された電圧に応じて液晶偏向素子３で光路を偏向することにより、ＣＣＤ１３２の撮像面上の被写体像のぶれを補正する。【選択図】  図２
2007094083.tif 000002
【特許請求の範囲】
【請求項１】
撮像面上に結像した被写体像を読み取って画像信号を生成する撮像素子を備えた撮影装置において、
この撮影装置のぶれを検出する手ぶれ検出部と、
液晶を用い、入射してきた被写体光の光路上に配備され印加電圧に応じて光路を偏向することにより前記撮像面上の被写体像のぶれを補正する液晶偏向素子と、
前記手ぶれ検出部でのぶれの検出結果に応じて前記液晶偏向素子を制御する手ぶれ補正制御部とを備えたことを特徴とする撮影装置。
【請求項２】
前記液晶偏向素子が、光路を偏向するとともにレンズ作用を成すものであることを特徴とする請求項１記載の撮影装置。
【発明の詳細な説明】
【技術分野】
【０００１】
本発明は、撮像面上に結像した被写体像を読み取って画像信号を生成する撮像素子を備えた撮影装置に関する。
【背景技術】
【０００２】
撮影装置の一つであるカメラでは、写真撮影にあたり、そのカメラに備えられたレリーズ釦の押下時等に手ぶれが発生すると、撮像面上に結像した被写体像がぶれてその被写体像に基づいて生成される画像の画質が低下するため、手ぶれをキャンセルするように補正するということが行なわれている。
【０００３】
例えば、特許文献１には、ジャイロセンサ等の角速度検出手段で手ぶれの量を検出し、検出された手ぶれの量に応じて撮影レンズの一部である補正レンズを光軸に対して垂直方向にシフトさせることで、手ぶれを補正する技術が提案されている。
【特許文献１】特開平６−８２８６９号公報
【発明の開示】
【発明が解決しようとする課題】
【０００４】
上述した特許文献１に提案された技術では、手ぶれを補正するにあたり、撮影レンズの一部である補正レンズを光軸に対して垂直方向にシフトさせるためのシフト機構やモータ等を備えた駆動部が必要とされる。このため、駆動部の構成は複雑であり、またサイズも比較的大きく、このような駆動部が撮影光学系ユニットに組み込まれるため、撮影光学系ユニットが大型化するとともにコストもアップするという問題がある。
【０００５】
本発明は、上記事情に鑑み、撮影光学系ユニットの小型化およびコストの低減化が図られた撮影装置を提供することを目的とする。
【課題を解決するための手段】
【０００６】
上記目的を達成する本発明の撮影装置は、撮像面上に結像した被写体像を読み取って画像信号を生成する撮像素子を備えた撮影装置において、
この撮影装置のぶれを検出する手ぶれ検出部と、
液晶を用い、入射してきた被写体光の光路上に配備され印加電圧に応じて光路を偏向することにより上記撮像面上の被写体像のぶれを補正する液晶偏向素子と、
上記手ぶれ検出部でのぶれの検出結果に応じて上記液晶偏向素子を制御する手ぶれ補正制御部とを備えたことを特徴とする。
【０００７】
本発明の撮影装置は、入射してきた被写体光の光路上に配備された液晶偏向素子に、手ぶれ検出部で検出されたぶれの検出結果に応じた電圧を手ぶれ補正制御部で印加し、印加された電圧に応じてその液晶偏向素子で光路を偏向することにより、撮像面上の被写体像のぶれを補正するものである。ここで、液晶偏向素子は薄型で且つ低コストであり、このような液晶偏向素子が撮影光学系ユニットに組み込まれて撮像面上の被写体像のぶれが補正される。従って、従来の、補正レンズを光軸に対して垂直方向にシフトさせるシフト機構やモータ等を備えた駆動部が組み込まれた撮影光学系ユニットを具備する技術と比較し、撮影光学系ユニットの小型化およびコストの低減化が図られる。
【０００８】
ここで、上記液晶偏向素子が、光路を偏向するとともにレンズ作用を成すものであることが好ましい。
【０００９】
このような液晶偏向素子を備えると、撮像面上の被写体像のぶれを補正するとともに撮影レンズの役割をも担うことができ、従って撮影光学系ユニットのさらなる小型化およびさらなるコストの低減化を図ることができる。
【発明の効果】
【００１０】
本発明によれば、撮影光学系ユニットの小型化およびコストの低減化が図られた撮影装置を提供することができる。
【発明を実施するための最良の形態】
【００１１】
以下、本発明の実施形態について説明する。
【００１２】
図１は、本発明の撮影装置の第１実施形態であるカメラの外観図である。
【００１３】
図１（ａ）は正面図、（ｂ）は上面図、（ｃ）は側面図、（ｄ）は背面図である。
【００１４】
図１（ａ）〜（ｃ）に示すカメラ１００は、撮像面上に結像した被写体像を読み取って画像信号を生成する撮像素子を備えたデジタルカメラである。
【００１５】
図１（ｄ）に示すように、本実施形態のカメラ１００の背面にはユーザがこのカメラ１００を使用するときに種々の操作を行なうための操作部１２０が設けられている。
【００１６】
この操作部１２０には、カメラ１００を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行やキャンセル等を行なうための実行／キャンセルスイッチ１２６が備えられている。
【００１７】
また、カメラ１００の背面には、撮影画像や再生画像等を表示するための画像表示ＬＣＤ１０２と、操作の手助けを行なうための操作表示ＬＣＤ１０３が備えられている。
【００１８】
さらに、図１（ｂ）に示すように、このカメラ１００の上面にはレリーズ釦１０４が配備されている。このレリーズ釦１０４によって撮影の開始指示がカメラ１００の内部に備えられた、後述するメインＣＰＵへと伝えられる。このカメラ１００では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。また、図１（ａ）に示すように、カメラ１００の上面には、閃光を発光する閃光発光管１０５ａを有する閃光発光装置１０５が配備されている。
【００１９】
さらに、図１（ｃ）に示すように、カメラ１００の側面には、このカメラ１００により撮影された被写体の画像信号をテレビやプロジェクタ等に出力するためのケーブルが接続される映像出力端子１０６と、このカメラ１００により撮影された被写体の画像信号をＵｎｉｖｅｒｓａｌ  Ｓｅｒｉａｌ  Ｂｕｓ（ＵＳＢ）端子が備えられたパーソナルコンピュータ等に出力し、およびこのようなパーソナルコンピュータ等からカメラ１００に画像信号を入力するためのケーブルが接続されるＵＳＢ端子１０７と、ＡＣアダプタからの直流電圧が入力される直流電圧入力端子１０８とが備えられている。
【００２０】
図２は、図１に示すカメラの回路構成を示すブロック図である。
【００２１】
このカメラ１００には、撮影光学系１が備えられている。この撮影光学系１は、撮影レンズ部１０１と絞り部材２から構成されている。撮影レンズ部１０１は、液晶を用いた液晶偏向素子３と、複数のレンズからなるズーム群１０１＿１と、フォーカス群１０１＿２とから構成されている。
【００２２】
液晶偏向素子３の構成については後述するが、この液晶偏向素子３は、入射してきた被写体光の光路上に配備され印加電圧に応じて光路を偏向することにより、後述するＣＣＤ１３２の撮像面上に結像される被写体像のぶれを補正する。
【００２３】
絞り部材２は、絞り径の調整が自在な部材である。
【００２４】
また、このカメラ１００には、ズーム群１０１＿１を駆動するズーム駆動部５と、フォーカス群１０１＿２を駆動するフォーカス駆動部６と、絞り部材２を駆動する絞り駆動部７と、ズーム群１０１＿１の位置を検出するズーム位置検出部８とが備えられている。
【００２５】
さらに、このカメラ１００には、このカメラ１００のぶれを検出する手ぶれ検出部１０と、この手ぶれ検出部１０でのぶれの検出結果に応じて液晶偏向素子３を制御する手ぶれ補正制御部９が備えられている。
【００２６】
また、このカメラ１００には、撮影光学系１を経由して入射してきた被写体光を結像させてアナログの画像信号に変換する撮像素子であるＣＣＤ１３２が備えられている。
【００２７】
さらに、このカメラ１００には、ＣＣＤ１３２からのアナログ画像信号をディジタルの画像データにＡ／Ｄ変換するＡ／Ｄ部１３３と、Ａ／Ｄ部１３３からのデジタルの画像データが表わす被写体像のホワイトバランスを合わせるとともにその被写体像の階調特性における直線の傾き（γ）を調整し、さらにデジタルの画像信号を増幅する白バランス・γ処理部１３４が備えられている。
【００２８】
また、カメラ１００には、白バランス・γ処理部１３４からの画像データを格納するバッファメモリ１３５が備えられている。
【００２９】
さらに、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源１４１とが備えられている。
【００３０】
ＣＧ部１３６は、ＣＣＤ１３２を駆動するための駆動信号、Ａ／Ｄ部１３３，白バランス・γ処理部１３４を制御する制御信号、および通信制御部１３９を制御する制御信号を出力する。また、このＣＧ部１３６には、後述するメインＣＰＵ１４５からのシャッタ制御信号、および測光・測距用ＣＰＵ１３７からの制御信号が入力される。
【００３１】
測光・測距用ＣＰＵ１３７は、撮影レンズ部１０１，絞り部材２を、ズーム駆動部５，フォーカス駆動部６，絞り駆動部７で駆動するとともにズーム位置検出部８で検出することにより測光や測距を行ない、ＣＧ部１３６および充電・発光制御部１３８を制御する。さらに、この測光・測距用ＣＰＵ１３７は、後述するメインＣＰＵとの間でデータ通信を行なう。
【００３２】
充電・発光制御部１３８は，閃光発光管１０５ａを発光させるために電源１４１からの電力の供給を受けて図示しない閃光発光用のコンデンサを充電したり、その閃光発光管１０５ａの発光を制御する。
【００３３】
通信制御部１３９には、図１（ｃ）に示すＵＳＢ端子１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。
【００３４】
また、このカメラ１００には、図１（ｃ）に示す映像出力端子１０６が備えられており、ＹＣ処理部１４０は、バッファメモリ１３５に格納された画像データをバスライン１４２を介して読み出し、輝度信号（Ｙ）と色信号（Ｃ）に分離されたカラー映像信号ＹＣを生成する。生成されたカラー映像信号ＹＣは、上記映像出力端子１０６から出力される。
【００３５】
電源１４１は、このカメラ１００の各部に電力を供給する。
【００３６】
さらに、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００３７】
また、カメラ１００には、メインＣＰＵ１４５と、ＥＥＰＲＯＭ１４６と、ＹＣ／ＲＧＢ変換部１４７と、表示用のドライバ１４８とが備えられている。
【００３８】
メインＣＰＵ１４５は、このカメラ１００全体の制御を行なう。また、このメインＣＰＵ１４５は、手ぶれ検出部１０から出力される手ぶれ信号を入力し、入力された手ぶれ信号の大きさに応じた手ぶれ補正信号を手ぶれ補正制御部９に送出する。手ぶれ補正制御部９は、この手ぶれ補正信号に基づいて液晶偏向素子３を制御する。尚、液晶偏向素子３の制御の詳細については後述する。
【００３９】
ＥＥＰＲＯＭ１４６には、このカメラ１００固有の固体データ等が格納されている。
【００４０】
ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００４１】
図３は、図２に示す液晶偏向素子の断面図である。
【００４２】
図３に示す液晶偏向素子３は、第１の液晶素子３＿１と第２の液晶素子３＿２から構成されている。
【００４３】
第１の液晶素子３＿１には、スペーサ３１と、スペーサ３１を介して互いに対向して配置された平板状の透明基板３２，３３と、透明基板３２，３３の内面に配備された透明電極３４，３５と、透明電極３４，３５の内面に配備された配光膜３６，３７と、スペーサ３１および配光膜３６，３７からなる空間に封入された液晶３８とが備えられている。液晶３８は液晶分子３８ａを有する。また、透明電極３４，３５には、液晶分子３８ａの配列の方向を調整する電圧Ｖが印加される。
【００４４】
第２の液晶素子３＿２は、第１の液晶素子３＿１と比較し、透明電極３５が透明電極３５０に置き換えられている点が異なっている。尚、透明電極３４，３５，３５０については後述する。
【００４５】
第１の液晶素子３＿１および第２の液晶素子３＿２を構成する透明基板３２，３３は、入射される光の波長帯域に対して高い透過率を有する材料で形成され、ガラスや高分子フイルム等を用いることができる。
【００４６】
また、透明電極３４，３５，３５０は、電圧Ｖが印加される電極パターンを有する。電極パターンの構造については後述するが、この電極パターンの構造およびこの電極パターンに印加される電圧Ｖの大きさに応じて、液晶分子３８ａの配列の方向を自在に調整することができる。
【００４７】
配光膜３６，３７は、透明電極３４，３５，３５０に電圧Ｖが印加されていないときに液晶分子３８ａを所定の配列の方向にさせておくためのものである。
【００４８】
ここで、液晶偏向素子３の実施例について説明する。本実施例では、ガラス基板上に透明電極３４，３５，３５０としてインジウムスズオキサイド（ＩＴＯ）をスパッタにより付けた。その上に、配光膜３６，３７としてポリイミド膜（日産化学製）を塗布、焼成したのち、ラビング処理した。４０μｍのスペーサ３１（積水化学製）でサンドイッチ状に挟んだ素子中に液晶ＺＬＩ−１１３２（メルク製）を注入し封止した。
【００４９】
図４は、図３に示す液晶偏向素子を構成する第１の液晶素子の断面形状を、電極の構造とともに示す図である。
【００５０】
図４には、第１の液晶素子３＿１を構成する配光膜３６，３７と、それら配光膜３６，３７の外面に配備された透明電極３４，３５が示されている。透明電極３４は、この透明電極３４全体を覆うように形成された電極パターン３４ａを有する。一方、透明電極３５は、水平方向に形成されたストライプ状の電極パターン３５ａを有する。ここで、例えば電極パターン３４ａをグラウンド電位に維持するとともに電極パターン３５ａの上部から下部にかけて値が徐々に小さく（もしくは大きく）なるような電圧を印加することにより、入射光を光軸に対して垂直方向（図４の上下方向）に偏向するプリズム効果を実現することができる。
【００５１】
図５は、図３に示す液晶偏向素子を構成する第２の液晶素子の断面形状を、電極の構造とともに示す図である。
【００５２】
図５に示す第２の液晶素子３＿２は、図４に示す第１の液晶素子３＿１と比較し、水平方向に形成されたストライプ状の電極パターン３５ａを有する透明電極３５に代えて、垂直方向に形成されたストライプ状の電極パターン３５０ａを有する透明電極３５０が配置されている点が異なっっている。ここで、例えば電極パターン３４ａをグラウンド電位に維持するとともに電極パターン３５０ａの左部から右部にかけて値が徐々に小さく（もしくは大きく）なるような電圧を印加することにより、入射光を光軸に対して水平方向（図４の左右方向）に偏向するプリズム効果を実現することができる。
【００５３】
図６は、図３に示す液晶偏向素子の分解斜視図である。
【００５４】
図６には、液晶偏向素子３を構成する第１の液晶素子３＿１と第２の液晶素子３＿２が示されている。第１の液晶素子３＿１に入射された光線Ａは、図４を参照して説明したように、透明電極３５の電極パターン３５ａに印加される電圧の大きさに応じて、光軸に対して垂直方向に角度αだけ変更されて光線Ｂとして出射される。この光線Ｂは、第２の液晶素子３＿２に入射される。第２の液晶素子３＿２に入射された光線Ｂは、図５を参照して説明したように、透明電極３５０の電極パターン３５０ａに印加される電圧の大きさに応じて、光軸に対して水平方向に角度βだけ変更されて光線Ｃとして出射される。
【００５５】
本実施形態のカメラ１００は、入射してきた被写体光の光路上に配備された液晶偏向素子３に、手ぶれ検出部１０で検出されたぶれの検出結果と撮影レンズ１０１の焦点距離に応じた電圧を手ぶれ補正制御部９で印加し、印加された電圧に応じて液晶偏向素子３で光路を偏向することにより、ＣＣＤ１３２の撮像面上の被写体像のぶれを補正するものである。ここで、液晶偏向素子３は薄型で且つ低コストであり、撮影光学系１には、この液晶偏向素子３が組み込まれて撮像面上の被写体像のぶれが補正される。従って、従来の、補正レンズを光軸に対して垂直方向にシフトさせるシフト機構やモータ等を備えた駆動部が組み込まれた撮影光学系ユニットを具備する技術と比較し、撮影光学系ユニットの小型化およびコストの低減化が図られる。
【００５６】
図７は、図４に示す第１の液晶素子に代わる液晶素子の断面形状を、電極の構造とともに示す図である。
【００５７】
図７に示す液晶素子３＿１０は、図４に示す液晶素子３＿１と比較し、全体を覆うように形成された電極パターン３４ａを有する透明電極３４に代えて、水平方向に形成されたストライプ状の電極パターン３５ａを有する透明電極３５が配備されている点が異なっている。ここで、例えば２つの電極パターン３５ａ，３５ａの上部から下部にかけて共に値が徐々に小さく（もしくは大きく）なるような電圧を印加することにより、入射光を光軸に対して垂直方向（図７の上下方向）に自在に且つ素早く偏向するプリズム効果を実現することができる。このような液晶素子３＿１０を有する液晶偏向素子で被写体像のぶれを補正してもよい。
【００５８】
図８は、図５に示す第２の液晶素子に代わる液晶素子の断面形状を、電極の構造とともに示す図である。
【００５９】
図８に示す液晶素子３＿２０は、図５に示す液晶素子３＿２と比較し、全体を覆うように形成された電極パターン３４ａを有する透明電極３４に代えて、垂直方向に形成されたストライプ状の電極パターン３５０ａを有する透明電極３５０が配備されている点が異なっている。ここで、例えば２つの電極パターン３５０ａ，３５０ａの左部から右部にかけて共に値が徐々に小さく（もしくは大きく）なるような電圧を印加することにより、入射光を光軸に対して水平方向（図８の左右方向）に自在に且つ素早く偏向するプリズム効果を実現することができる。このような液晶素子３＿２０を有する液晶偏向素子で被写体像のぶれを補正してもよい。
【００６０】
図９は、本発明の撮影装置の第２実施形態であるカメラの回路構成を示すブロック図である。
【００６１】
尚、この図９に示すカメラ４００の外観図は、図１に示すカメラ１００の概観図と同じであるため、図示省略する。
【００６２】
図９に示すカメラ４００は、図１に示すカメラ１００と比較し、図１に示すカメラ１００を構成する撮影光学系１および手ぶれ補正制御部９が、撮影光学系１＿１および手ぶれ補正制御部４２０に置き換えられている点が異なっている。
【００６３】
図９に示す撮影光学系１＿１は、光路を偏向するとともにレンズ作用を成す液晶偏向素子４１０と、ズーム群１０１＿１１と、フォーカス群１０１＿２と、絞り部材２とから構成されている。
【００６４】
図１０は、図９に示す液晶偏向素子の断面図である。
【００６５】
図１０に示す液晶偏向素子４１０は、図３を参照して説明した第１の液晶素子３＿１および第２の液晶素子３＿２と、第３の液晶素子４１１から構成されている。ここで、第１の液晶素子３＿１および第２の液晶素子３＿２は、前述したように光路を偏向する液晶素子であり、また第３の液晶素子４１１はレンズ作用を成す液晶素子である。この第３の液晶素子４１１は、ズームレンズを構成する複数のレンズの一部を担っている。このため、ズーム群１０１＿１１の構成が簡素化されている。
【００６６】
図１１は、第３の液晶素子の断面形状を、電極の構造とともに示す図である。
【００６７】
図１１には、第３の液晶素子４１１を構成する配光膜３６，３７と、それら配光膜３６，３７の外面に配備された透明電極３４，４１２が示されている。透明電極３４は、この透明電極３４全体を覆うように形成された電極パターン３４ａを有する。一方、透明電極４１２は、複数の同心円状の電極パターン４１２ａを有する。また、配光膜３７は、液晶分子３８ａの配向方向が電極パターン４１２ａに応じて異なるように配向処理されている。ここで、例えば電極パターン３４ａをグラウンド電位に維持するとともに複数の同心円状の電極パターン４１２ａの周辺部から中央部にかけて値が徐々に小さく（もしくは大きく）なるような電圧を印加することにより、凹状（もしくは凸状）のレンズ機能を実現することができる。本実施形態では、この第３の液晶素子４１１でズームレンズの一部が実現されている。
【００６８】
本実施形態のカメラ４００には、上述したように、光路を偏向するための第１の液晶素子３＿１および第２の液晶素子３＿２と、レンズ機能を実現するための第３の液晶素子４１１とからなる液晶偏向素子４１０が備えられている。また、このカメラ４００には、手ぶれ補正制御部４２０が備えられている。この手ぶれ補正制御部４２０は、手ぶれ検出部１０でのぶれの検出結果と撮影レンズ１０１の焦点距離に応じて第１の液晶素子３＿１および第２の液晶素子３＿２を制御するとともに、ズームレンズの一部の機能が実現されるように第３の液晶素子４１１を制御する。このため、１つの液晶偏向素子４１０で、手ぶれ補正とレンズ機能を行なうことができ、従って撮影光学系ユニットのさらなる小型化およびさらなるコストの低減化が図られたカメラ４００が提供される。
【００６９】
図１２は、図９に示す液晶偏向素子とは異なる、さらに構成が簡素化された液晶偏向素子の断面図である。
【００７０】
図１２に示す液晶偏向素子５１０には、この液晶偏向素子５１０を構成する配光膜３６，３７と、それら配光膜３６，３７の外面に配備された透明電極３４，５１１が示されている。透明電極３４は、この透明電極３４全体を覆うように形成された電極パターン３４ａを有する。一方、透明電極５１１は、マトリックス状の電極パターン５１１ａを有する。ここで、例えば電極パターン３４ａをグラウンド電位に維持するとともにマトリックス状の電極パターン５１１ａそれぞれに異なる値の電圧Ｖを印加することにより、１つの液晶偏向素子５１０で手ぶれ補正機能とレンズ機能との双方の機能を実現することができる。
【図面の簡単な説明】
【００７１】
【図１】本発明の撮影装置の第１実施形態であるカメラの外観図である。
【図２】図１に示すカメラの回路構成を示すブロック図である。
【図３】図２に示す液晶偏向素子の断面図である。
【図４】図３に示す液晶偏向素子を構成する第１の液晶素子の断面形状を、電極の構造とともに示す図である。
【図５】図３に示す液晶偏向素子を構成する第２の液晶素子の断面形状を、電極の構造とともに示す図である。
【図６】図３に示す液晶偏向素子の分解斜視図である。
【図７】図４に示す第１の液晶素子に代わる液晶素子の断面形状を、電極の構造とともに示す図である。
【図８】図５に示す第２の液晶素子に代わる液晶素子の断面形状を、電極の構造とともに示す図である。
【図９】本発明の撮影装置の第２実施形態であるカメラの回路構成を示すブロック図である。
【図１０】図９に示す液晶偏向素子の断面図である。
【図１１】第３の液晶素子の断面形状を、電極の構造とともに示す図である。
【図１２】図９に示す液晶偏向素子とは異なる、さらに構成が簡素化された液晶偏向素子の断面図である。
【符号の説明】
【００７２】
１，１＿１  撮影光学系
２  絞り部材
３，４１０，５１０  液晶偏向素子
３＿１，３＿２，３＿１０，３＿２０，４１１  液晶素子
５  ズーム駆動部
６  フォーカス駆動部
７  絞り駆動部
８  ズーム位置検出部
９，４２０  手ぶれ補正制御部
１０  手ぶれ検出部
３１  スペーサ
３２，３３  透明基板
３４，３５，３５０，４１２，５１１  透明電極
３４ａ，３５ａ，３５０ａ，４１２ａ，５１１ａ  電極パターン
３６，３７  配光膜
３８  液晶
３８ａ  液晶分子
１００，４００  カメラ
１０１  撮影レンズ部
１０１＿１，１０１＿１１  ズーム群
１０１＿２  フォーカス群
１０２  画像表示ＬＣＤ
１０３  操作表示ＬＣＤ
１０４  レリーズ釦
１０５  閃光発光装置
１０５ａ  閃光発光管
１０６  映像出力端子
１０７  ＵＳＢ端子
１０８  直流電圧入力端子
１２０  操作部
１２１  電源スイッチ
１２２  撮影・再生切替レバー
１２３  撮影モードダイヤル
１２４  十字スイッチ
１２５  閃光発光用スイッチ
１２６  実行／キャンセルスイッチ
１３２  ＣＣＤ
１３３  Ａ／Ｄ部
１３４  白バランス・γ処理部
１３５  バッファメモリ
１３６  ＣＧ部
１３７  測光・測距用ＣＰＵ
１３８  充電・発光制御部
１３９  通信制御部
１４０  ＹＣ処理部
１４１  電源
１４２  バスライン
１４３  圧縮・伸長＆ＩＤ抽出部
１４４  Ｉ／Ｆ部
１４５  メインＣＰＵ
１４６  ＥＥＰＲＯＭ
１４７  ＹＣ／ＲＧＢ変換部
１４８  ドライバ
２００  メモリカード
【図１】
2007094083.tif 000003
【図２】
2007094083.tif 000004
【図３】
2007094083.tif 000005
【図４】
2007094083.tif 000006
【図５】
2007094083.tif 000007
【図６】
2007094083.tif 000008
【図７】
2007094083.tif 000009
【図８】
2007094083.tif 000010
【図９】
2007094083.tif 000011
【図１０】
2007094083.tif 000012
【図１１】
2007094083.tif 000013
【図１２】
2007094083.tif 000014